(57)【要約】【課題】銃器用デジタルカメラにおいて、小型銃器に搭載可能で、かつ画像の編集及び改竄を防止し、裁判等の証拠となる記録として利用可能な画像を撮影可能にする。【解決手段】撃鉄２５を引き起こし、引き金２３を引くことによって、撃鉄２５が落とされて弾丸が発射される銃器２に搭載される銃器用デジタルカメラ１が、引き金２３の位置が所定位置になったことを検出する位置検出手段１６ａと、位置検出手段１６ａにより引き金２３の位置が、所定位置になったことが検出されたときに銃器２の照準域の画像を撮像する撮像手段１１と、撮像手段１１から出力される撮像信号を暗号化する演算処理手段１３とを備えてなる。【選択図】図１
2007155177.tif 000002
【特許請求の範囲】
【請求項１】
撃鉄を引き起こし、引き金を引くことによって、前記撃鉄が落とされて弾丸が発射される銃器に搭載される銃器用デジタルカメラであって、
前記引き金の位置が所定位置になったことを検出する位置検出手段と、
該位置検出手段により前記引き金の位置が前記所定位置になったことが検出されたときに前記銃器の照準域の画像を撮像する撮像手段と、
該撮像手段から出力される撮像信号を暗号化する演算処理手段とを備えてなることを特徴とする銃器用デジタルカメラ。
【請求項２】
前記演算処理手段で暗号化されたデータを記録する記録手段を備えてなることを特徴とする請求項１に記載の銃器用デジタルカメラ。
【請求項３】
前記演算処理手段が、公開鍵暗号方式による公開鍵を用いて暗号化する演算機能を有するものであることを特徴とする請求項１または２に記載の銃器用デジタルカメラ。
【請求項４】
前記所定位置が、前記撃鉄が落ちる直前の位置であることを特徴とする請求項１〜３のいずれか１項に記載の銃器用デジタルカメラ。
【発明の詳細な説明】
【技術分野】
【０００１】
本発明はデジタルカメラに関し、特に発砲時の照準域を撮影するために銃器に搭載されるデジタルカメラに関するものである。
【背景技術】
【０００２】
通常、銃器の所持や使用は、警察官や自衛官等の特定の人のみに許可されるものである。これら銃器の使用を許可された人は、非常事態の際等、やむを得ず発砲しなければならないときがあり、その際、その発砲が適切なものであったか否か、後に法廷等で明らかにしなければならないことがある。一方、機関銃、ライフル及び自動小銃等の銃器に、該銃器の銃身と同軸方向に銀塩ムービーカメラあるいはビデオカメラを搭載し、射撃と同時に撮影を行う事で、射撃結果の映像を記録する技術が提案されている。（特許文献１）
【特許文献１】米国特許４８３５６２１号明細書
【発明の開示】
【発明が解決しようとする課題】
【０００３】
しかしながら、上記のような銃器に搭載された銀塩ムービーカメラあるいはビデオカメラは、動画を撮像するものであるから長時間電力を消費するため、大きなバッテリーを必要とし、拳銃や小銃等の可搬性のある小型銃器に搭載するには適していない。また、記録された映像の読み出し及び再生は、不特定多数の人間が行うことが可能であるため、記録された映像は編集及び改竄の危険性を有するものとなってしまう。さらに、これらの画像がどの銃器によって撮影されたものであるのか特定することが困難である。
【０００４】
本発明は、かかる事情に鑑みてなされたものであり、小型銃器に搭載可能で、かつ画像の編集及び改竄を防止し、裁判等の証拠となる記録として利用可能な画像を撮影可能な銃器用デジタルカメラを提供することを目的とするものである。
【課題を解決するための手段】
【０００５】
本発明の銃器用デジタルカメラは、撃鉄を引き起こし、引き金を引くことによって、前記撃鉄が落とされて弾丸が発射される銃器に搭載される銃器用デジタルカメラであって、
前記引き金の位置が所定位置になったことを検出する位置検出手段と、
該位置検出手段により前記引き金の位置が前記所定位置になったことが検出されたときに前記銃器の照準域の画像を撮像する撮像手段と、
該撮像手段から出力される撮像信号を暗号化する演算処理手段とを備えてなることを特徴とするものである。
【０００６】
本発明の銃器用デジタルカメラは、前記演算処理手段で暗号化されたデータを記録する記録手段を備えてもよい。
【０００７】
本発明の銃器用デジタルカメラは、前記演算処理手段が、公開鍵暗号方式による公開鍵を用いて暗号化する演算機能を有するものであることが好ましい。
【０００８】
本発明の銃器用デジタルカメラは、前記所定位置が、前記撃鉄が落ちる直前の位置であることが好ましい。
【発明の効果】
【０００９】
本発明の銃器用デジタルカメラは、引き金の位置が所定位置になったことを検出する位置検出手段と、位置検出手段により引き金の位置が、所定位置になったことが検出されたときに銃器の照準域の画像を撮像する撮像手段と、撮像手段から出力される撮像信号を暗号化する演算処理手段とを備えているので、引き金の位置が所定位置になったときにのみ、銃器の照準域を撮像することができる。よってデジタルカメラに長時間電力を供給し続ける必要がないので、バッテリー等の電源が小型化できて、小型銃器に搭載することが可能となる。また撮像信号を暗号化することができるので、撮影画像が容易に復号化できなくなり、撮影画像の編集や改竄を防止することができる。
【００１０】
また演算処理手段が、公開鍵暗号方式による公開鍵を用いて暗号化する演算機能を有するものである場合には、この公開鍵に対応した秘密鍵がなければ暗号化されたデータを復号化することができないので、暗号化されたデータが、どの銃器で暗号化されたものであるのかを秘密鍵によって特定することができる。さらに秘密鍵を裁判所等の特定機関が保管していれば、この特定機関のみが、暗号化されたデータを復号することができるので、復号された画像は、裁判等の証拠となる記録として利用可能な信頼性のある画像となる。
【００１１】
また前記所定位置が、撃鉄が落ちる直前の位置である場合には、照準対象を射撃する直前に照準域を撮像することができるので、射撃の衝撃による手のブレ等の影響を受けることなく、照準対象を正確に撮影することができる。
【発明を実施するための最良の形態】
【００１２】
次に図面を参照し、本発明に係る実施形態の銃器用デジタルカメラについて詳細に説明する。
【００１３】
図１は本実施形態の銃器用デジタルカメラ１を搭載した銃器２の構成を示した図、図２は図１のII−II断面図、図３は本発明の銃器用デジタルカメラにおける公開鍵暗号方式を説明するための図である。
【００１４】
なお銃器とは、弾丸を発射する機器を示すものであり、例えば拳銃や小銃等の小型銃器は勿論のこと、それ以外にも機関銃やライフル銃、猟銃等、各種銃器を含むものである。
【００１５】
本実施形態の銃器用デジタルカメラ１は、図１に示す如く、銃器２に搭載されるものである。なお本実施形態においては便宜上、銃口を有する側（図１中左側）を前方とし、クリップを有する側（図１中下側）を下方として説明する。
【００１６】
本実施形態の銃器２は、前方に銃口２１を有する銃身２２と、銃身２２の後端から下方に向かって延び、引き金２３を備えたグリップ２４と、射撃者によって引き起こされ、引き起こされた後に引き金２３と連動して作動する撃鉄２５と、弾丸の暴発を防止するための安全装置２６とから概略構成されている。
【００１７】
安全装置２６は、引き金２３と撃鉄２５の少なくとも一方が引けないロック位置と引き金２３と撃鉄２５が引けるロック解除位置との間を動くものであり、機械的構造によってロック及びロック解除を行うものである。
【００１８】
引き金２３、撃鉄２５及び安全装置２６には、その位置が所定位置になったことを検出する位置検出手段１６ａ、１６ｂ、１６ｃが、それぞれ設置されていて、安全装置２６が所定位置であるロック解除位置にならないと、すなわち安全装置２６が解除されないと引き金２３と撃鉄２５の少なくとも一方が引けないようになっている。なお安全装置２６は、引き金２３と撃鉄２５のどちらか一方が引けないようにできるものであれば、例えば安全装置２６の位置検出手段１６ｃを用いた電気的構造によるものであっても、ピン等を使用した機械的構造によるものであってもよい。このとき撃鉄２５が引き起こされていないと、引き金２３を引いても弾丸は発射されないので、安全装置２６は引き金２３と撃鉄２５どちらか一方に備えられていればよいが、安全性を向上させるために両方に備えられていればさらによい。
【００１９】
また、引き金２３にはさらに射撃者の指が引き金にかけられたことを検出する接触検出手段１７が設置されている。なお接触検出手段１７は、例えば温度を感知するものであっても、圧力を感知するものであってもよく、公知のものを使用することができる。
【００２０】
グリップ２４の内部には、図２に示す如く、グリップ２４の厚み方向（図１の紙面手前から奥行方向）略中央に複数の弾丸を装着する弾倉２７が設置され、弾倉２７を挟むようにして例えばリチウムイオン電池、ニッケル水素電池等の二次電池や、電気二重層キャパシタ等の蓄電装置等からなる銃器用デジタルカメラの電源１８が配設されている。
【００２１】
そして銃身２２の直近下方には、銃器用デジタルカメラ１が、撮影レンズ１１ａの光軸が銃身２２の軸と略並行に位置するように装着され、銃口２１が向けられる先、すなわち照準域を撮像するようになっている。
【００２２】
なお本実施形態の銃器１は、図１に示す如く、連発式拳銃としたが、本発明においてはこれに限られるものではなく、弾丸を発射する機器であれば、例えば回転式拳銃等、どのようなものであってもよい。
【００２３】
銃器用デジタルカメラ１は、耐熱性、耐衝撃性、耐水性及び耐放射線性を有するシールドケース１０内部に、撮影レンズ１１ａ及び固体撮像素子１１ｂ等を有する撮像手段１１と、撮像手段１１から出力された撮像信号を画質設定等の情報に伴って画像処理する画像処理手段１２と、画像処理手段１２により画像処理された画像信号を暗号化する演算処理手段１３と、演算処理手段１３で暗号化されたデータを記録する記録手段１４と、これらを統括的に制御するＣＰＵ１５とを備え、シールドケース１０外部に、上述した位置検出手段１６ａ、１６ｂ、１６ｃ及び接触検出手段１７とを備えて概略構成されている。ここで、本実施形態における銃器用デジタルカメラ１は、記録手段１４を前記シールドケース１０内部に設置するものであるが、本発明の銃器用デジタルカメラにおいてはこれに限られるものではなく、記録手段１４は前記シールドケース１０外部に設置され、例えば無線ＬＡＮ等使用して暗号化されたデータを記録しても良い。また、本発明の銃器用デジタルカメラ１は上記構成に限られるものではなく、例えば射撃日時を特定するために、銃器用デジタルカメラが内部に時計機能を有するものであることが好ましく、適宜変更可能なものである。
【００２４】
演算処理手段１３は、公開鍵暗号方式による公開鍵を用いて暗号化する演算機能を有するものである。公開鍵暗号方式としては、例えば素因数分解困難性に基づくACE sign、RSA-PSS 、RSA-OAEP、EPOC-1、EPOC-2、EPOC-3、HIME-1、HIME-2、離散対数問題に基づくDSA 、ACE Encrypt 、楕円曲線を用いたECAES in SEC1 、楕円双曲線を用いたECDSA in SEC1 、MY-ELLTY ECMR 、e 乗根近似関数に基づくESIGN-signature など公知の方法を用いることができる。本発明の銃器用デジタルカメラにおいては、図３に示す如く、裁判所等の特定機関によって暗号化鍵すなわち公開鍵と復号化鍵すなわち秘密鍵が作成され、作成された公開鍵が銃器２に公開される。このとき公開鍵は指定する１丁の銃器２のみに公開するものとし、秘密鍵は特定機関によって保管するものとする。こうすれば、銃器２の公開鍵に対応した秘密鍵がなければ暗号化されたデータを復号化することができないので、暗号化されたデータが、どの銃器で暗号化されたものであるのかを特定機関が保管する秘密鍵によって特定することができる。また、特定機関のみが暗号化されたデータを復号することができるので、復号された画像は裁判等の証拠となる記録として利用可能な信頼性のある画像となる。
【００２５】
このように構成された銃器２に搭載された銃器用デジタルカメラ１は以下に説明するように動作するものである。
【００２６】
射撃者によって銃器の安全装置２６がロック解除位置に移動されると、撃鉄２５及び引き金を引くことが可能になる。そして射撃者が撃鉄２５を所定位置すなわち最大引起位置まで引き起こすと、撃鉄２５の位置検出手段１６ｂにより、撃鉄２５が最大引起位置になったことが検出されて、ＣＰＵ１５に所定量の電力が供給され、撮影システムが起動する。ここで撮影システムとは、銃器用デジタルカメラ１に格納されたプログラム（図示しない）に従って起動するものであり、撮影システムが起動すると、ＣＰＵ１５からの指令によって、いつでも各手段に電力が供給できる状態になる。なおＣＰＵ１５には常に前記所定量よりも少ない必要最低限の電力が供給されており、各位置検出手段１６及び接触検出手段１７から出力される信号を常時受信できるようになっている。ここで本実施形態の銃器用デジタルカメラ１は、ＣＰＵ１５に供給された必要最低限の電力によって前記受信ができる構造であるが、本発明の銃器用デジタルカメラにおいてはこれに限られるものではなく、例えば別に前記受信用の電源または蓄電装置等を設けるものであってもよい。
【００２７】
次に射撃者が引き金２３に指をかけると、引き金２３の接触検出手段１７により、引き金２３に指がかけられたことが検出されて、撮像手段１１、画像処理手段１２及び記録手段１４に電力が供給され、銃器用デジタルカメラ１はいつでも撮像可能な撮影待ち状態になる。そして射撃者が引き金２３を所定位置まで引くと、引き金２３の位置検出手段１６ａにより、引き金２３の位置が所定位置になったことが検出されて、銃器２の銃口２１が向けられた先すなわち照準域の画像が、撮像手段１１によって撮像される。こうすることにより、引き金２３の位置が所定位置になったときにのみ、銃器の照準域の画像を撮像することができるため、銃器用デジタルカメラ１に長時間前記所定量の電力を供給し続ける必要がないので、電源１８が小型化できて、銃器用デジタルカメラ１を小型銃器に搭載することが可能となる。
【００２８】
また、引き金２３が前記所定位置よりさらに押下された射撃位置まで引かれると、撃鉄２５が落ちて銃口２１から弾丸が発射される。なお引き金２３の所定位置は、射撃位置と近接した位置であり、撃鉄２５が落ちる直前の位置とする。こうすることにより照準対象を射撃する直前に照準域の画像を撮像することができるので、射撃の衝撃による手のブレ等の影響を受けることなく、照準対象を正確に撮影することができる。
【００２９】
そして撮像手段１１から出力された撮像信号は、画像処理手段１２により画質等の画像処理がされた後に、演算処理手段１３によって、上述したように暗号化されて、記録手段１４によって記録される。記録手段１４によって記録されたデータは、専用の読取装置（図示しない）によって読み出されて、上述したように、特定機関が保管する秘密鍵によって画像データとして復号化される。
【００３０】
なお本発明における画像とは、主として静止画を示すものであるが、動画であってもよい。
【図面の簡単な説明】
【００３１】
【図１】本実施形態の銃器用デジタルカメラ１を搭載した銃器２の構成を示した図。
【図２】図１のＩＩ−ＩＩ断面図。
【図３】本発明の銃器用デジタルカメラにおける公開鍵暗号方式を説明するための図。
【符号の説明】
【００３２】
１      銃器用デジタルカメラ
１１    撮影手段
１１ａ  撮影レンズ
１１ｂ  固体撮像素子
１２    画像処理手段
１３    演算処理手段
１４    記録手段
１５    ＣＰＵ
１６ａ  引き金の位置検出手段
１６ｂ  撃鉄の位置検出手段
１６ｃ  安全装置の位置検出手段
１７    引き金の接触検出手段
１８    電源
２      銃器
２１    銃口
２２    銃身
２３    引き金
２４    グリップ
２５    撃鉄
２６    安全装置
２７    弾倉
【図１】
2007155177.tif 000003
【図２】
2007155177.tif 000004
【図３】
2007155177.tif 000005